【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】
正の高圧出力を発生する正高圧発生手段と、負の高圧出力を発生する負高圧発生手段とを有する電源装置であって、
負荷電流に応じた電圧を出力する電流検出手段と、該電流検出手段の出力信号と第１の外部入力信号との比較に応じた電圧を出力する増幅手段と、該増幅手段の出力に応じた電圧を出力する入出力手段と、該入出力手段の出力動作を識別する識別手段と、該識別手段の識別に基づき前記入出力手段の出力伝達先を前記各高圧発生手段に対して切り替える切り替え手段とを有し、前記入出力手段の出力に応じて前記各高圧発生手段の出力動作を変化させることを特徴とする電源装置。
【請求項２】
前記入出力手段は、入力電圧の増加に従い出力電圧を減少する第一の入出力特性領域と、入力電圧の増加に従い出力電圧を増加する第二の入出力特性領域との少なくとも二つ以上の入出力特性領域を有し、前記切り替え手段により、前記入出力手段の出力動作が何れの入出力特性領域であるかの前記識別手段の識別に基づき前記各高圧発生手段の一方又は双方の動作を停止させることを特徴とする請求項１記載の電源装置。
【請求項３】
前記第１とは別の第２の外部入力信号に応答して前記入出力手段の出力動作を制御する出力制御手段を有することを特徴とする請求項１又は２記載の電源装置。
【請求項４】
前記入出力手段は、前記各高圧発生手段の双方の動作を停止させる所定電圧の出力特性領域を有し、前記出力制御手段は、前記第２の外部入力信号に応答して前記入出力手段の出力動作を前記所定電圧の出力特性領域に制御又は設定することを特徴とする請求項３記載の電源装置。
【請求項５】
正の高圧出力を発生する正高圧発生手段と、負の高圧出力を発生する負高圧発生手段とを有する電源装置であって、
負荷電流に応じた電圧を出力する電流検出手段と、該電流検出手段の出力信号と第１の外部入力信号との比較に応じた電圧を出力する増幅手段と、所定の入出力特性を備え該増幅手段の出力に応じた電圧を前記正高圧発生手段に出力する第一の入出力手段と、該第一の入出力手段とは異なる所定の入出力特性を備え前記増幅手段の出力に応じた電圧を前記負高圧発生手段に出力する第二の入出力手段とを有し、前記各入出力手段の出力に応じて前記各高圧発生手段の出力動作を変化させることを特徴とする電源装置。
【請求項６】
前記第一の入出力手段は、前記正高圧発生手段の出力を増減する制御領域と該出力を停止する停止領域とを有し、前記第二の入出力手段は、前記負高圧発生手段の出力を増減する制御領域と該出力を停止する停止領域とを有し、更に、前記第一及び第二の入出力手段は、前記増幅手段からの同一の出力に対して前記各高圧発生手段の出力を停止又は低下させる入出力特性を有することを特徴とする請求項５記載の電源装置。
【請求項７】
前記第一及び第二の入出力手段の入出力特性は、前記各高圧発生手段の出力を同時に停止可能なように前記増幅手段の出力に基づき設定され、前記第一及び第二の入出力手段の動作は、前記第１とは別の第２の外部入力信号に応答して前記入出力特性の停止領域に制御又は設定可能であることを特徴とする請求項５又は６記載の電源装置。
【請求項８】
正の高圧出力を発生する正高圧発生手段と、負の高圧出力を発生する負高圧発生手段とを有する電源装置における高圧出力制御方法であって、
負荷電流に応じた電圧を出力する電流検出ステップと、該電流検出ステップの出力信号と第１の外部入力信号との比較に応じた電圧を出力する増幅ステップと、該増幅ステップの出力に応じた電圧を出力する入出力ステップと、該入出力ステップの出力動作を識別する識別ステップと、該識別ステップの識別に基づき前記入出力ステップの出力伝達先を前記各高圧発生手段に対して切り替える切り替えステップとを有し、前記入出力ステップの出力に応じて前記各高圧発生手段の出力動作を変化させることを特徴とする電源装置における高圧出力制御方法。
【請求項９】
正の高圧出力を発生する正高圧発生手段と、負の高圧出力を発生する負高圧発生手段とを有する電源装置における高圧出力制御方法であって、
負荷電流に応じた電圧を出力する電流検出ステップと、該電流検出ステップの出力信号と第１の外部入力信号との比較に応じた電圧を出力する増幅ステップと、所定の入出力特性を備え該増幅ステップの出力に応じた電圧を前記正高圧発生手段に出力する第一の入出力ステップと、該第一の入出力ステップとは異なる所定の入出力特性を備え前記増幅ステップの出力に応じた電圧を前記負高圧発生手段に出力する第二の入出力ステップとを有し、前記各入出力ステップの出力に応じて前記各高圧発生手段の出力動作を変化させることを特徴とする電源装置における高圧出力制御方法。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】変更
【補正の内容】
【００１８】
上記目的を達成するため、請求項８の発明は、正の高圧出力を発生する正高圧発生手段と、負の高圧出力を発生する負高圧発生手段とを有する電源装置における高圧出力制御方法であって、負荷電流に応じた電圧を出力する電流検出ステップと、該電流検出ステップの出力信号と第１の外部入力信号との比較に応じた電圧を出力する増幅ステップと、該増幅ステップの出力に応じた電圧を出力する入出力ステップと、該入出力ステップの出力動作を識別する識別ステップと、該識別ステップの識別に基づき前記入出力ステップの出力伝達先を前記各高圧発生手段に対して切り替える切り替えステップとを有し、前記入出力ステップの出力に応じて前記各高圧発生手段の出力動作を変化させることを特徴とする。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】変更
【補正の内容】
【００２２】
上記目的を達成するため、請求項９の発明は、正の高圧出力を発生する正高圧発生手段と、負の高圧出力を発生する負高圧発生手段とを有する電源装置における高圧出力制御方法であって、負荷電流に応じた電圧を出力する電流検出ステップと、該電流検出ステップの出力信号と第１の外部入力信号との比較に応じた電圧を出力する増幅ステップと、所定の入出力特性を備え該増幅ステップの出力に応じた電圧を前記正高圧発生手段に出力する第一の入出力ステップと、該第一の入出力ステップとは異なる所定の入出力特性を備え前記増幅ステップの出力に応じた電圧を前記負高圧発生手段に出力する第二の入出力ステップとを有し、前記各入出力ステップの出力に応じて前記各高圧発生手段の出力動作を変化させることを特徴とする。
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００７９
【補正方法】削除
【補正の内容】
【手続補正１２】
【補正対象書類名】明細書
【補正対象項目名】００８０
【補正方法】変更
【補正の内容】
【００８０】
請求項８の発明によれば、正の高圧出力を発生する正高圧発生手段と、負の高圧出力を発生する負高圧発生手段とを有する電源装置における高圧出力制御方法であって、負荷電流に応じた電圧を出力する電流検出ステップと、該電流検出ステップの出力信号と外部入力される出力制御信号との比較に応じた電圧を出力する増幅ステップと、該増幅ステップの出力に応じた（同一の）電圧を前記各高圧発生手段に出力する入出力ステップと、該入出力ステップの出力動作を識別する識別ステップと、該識別ステップの識別に基づき前記入出力ステップの出力伝達先を切り替える切り替えステップとを有し、前記入出力ステップの出力に応じて前記各高圧発生手段の出力動作を変化させる。即ち、一つの誤差増幅ステップの出力を入出力ステップに入力し、その出力動作に合わせて正高圧発生手段と負高圧発生手段の動作を切り替えるようにしたので、簡単な制御で負荷側の様々な電圧状態に対して所望の出力電流を制御することが可能となり、従ってスムーズな制御動作を実現することができ、これにより装置の小型化とコストダウンを実現することができる。
【手続補正１３】
【補正対象書類名】明細書
【補正対象項目名】００８１
【補正方法】削除
【補正の内容】
【手続補正１４】
【補正対象書類名】明細書
【補正対象項目名】００８２
【補正方法】削除
【補正の内容】
【手続補正１５】
【補正対象書類名】明細書
【補正対象項目名】００８３
【補正方法】削除
【補正の内容】
【手続補正１６】
【補正対象書類名】明細書
【補正対象項目名】００８４
【補正方法】変更
【補正の内容】
【００８４】
請求項９の発明によれば、正の高圧出力を発生する正高圧発生手段と、負の高圧出力を発生する負高圧発生手段とを有する電源装置における高圧出力制御方法であって、負荷電流に応じた電圧を出力する電流検出ステップと、該電流検出ステップの出力信号と外部入力される出力制御信号との比較に応じた電圧を出力する増幅ステップと、所定の入出力特性を備え該増幅ステップの出力に応じた電圧を前記正高圧発生手段に出力する第一の入出力ステップと、該第一の入出力ステップとは異なる所定の入出力特性を備え前記増幅ステップの出力に応じた電圧を前記負高圧発生手段に出力する第二の入出力ステップとを有し、前記各入出力ステップの出力に応じて前記各高圧発生手段の出力動作を変化させる。即ち、一つの増幅ステップの出力を、所定の入出力特性を有する第一の入出力ステップと、所定の入出力特性を有する第二の入出力ステップとに入力するようにしたので、正、負の各高圧発生手段の制御が簡単な制御で且つスムーズな制御で実現することができ、更に、双方の停止も簡単に実現することが可能であるので、装置の小型化やコストダウンを実現することができると同時に、安定した停止制御をも可能とすることができる。
【手続補正１７】
【補正対象書類名】明細書
【補正対象項目名】００８５
【補正方法】削除
【補正の内容】
【手続補正１８】
【補正対象書類名】明細書
【補正対象項目名】００８６
【補正方法】削除
【補正の内容】
【手続補正１９】
【補正対象書類名】明細書
【補正対象項目名】００８７
【補正方法】削除
【補正の内容】